(57)【要約】【課題】出力時以外にも異常の検知が可能であり、構成の簡単な超音波手術装置を提供する。【解決手段】プローブ２０とハンドピース１６とを有する超音波手術装置１２。駆動信号発生手段３２，３４により、処置対象に処置を行うための第１の駆動信号と、駆動周波数が変化されプローブ２０又はハンドピース１６の異常を判断するための第２の駆動信号とがハンドピース１６に出力され、出力検知手段４２により、ハンドピース１６への第２の駆動信号の出力電圧及び出力電流が検知される。異常判断部２４は、第２の駆動信号の駆動周波数を変化させた場合に、出力電圧と出力電流との間の位相差がほぼ等しくなる共振周波数が所定の範囲内で検出できなければプローブ２０又はハンドピース１６が異常であると判断する。【選択図】      図２
2006043348.tif 000002
【特許請求の範囲】
【請求項１】
超音波振動を利用して処置対象に処置を行うプローブと、
前記プローブに超音波振動を伝達するハンドピースと、
前記ハンドピースに、前記処置対象に処置を行うための第１の駆動信号と、駆動周波数が変化され前記プローブ又は前記ハンドピースの異常を判断するための第２の駆動信号とを出力する駆動信号発生手段と、
前記ハンドピースへの少なくとも第２の駆動信号の出力電流及び出力電圧を検知する出力検知手段と、
前記第２の駆動信号の駆動周波数を変化させた場合に、前記出力電圧と前記出力電流との間の位相差がほぼ等しくなる共振周波数が所定の範囲内で検出できなければ前記プローブ又は前記ハンドピースが異常であると判断する異常判断部とを、
具備することを特徴とする超音波手術装置。
【請求項２】
前記異常判断部は、前記駆動信号発生手段の電源のＯＮ、ＯＦＦを検知する電源検知手段を有し、前記電源検知手段が電源がＯＮにされたと検知した場合に前記判断を行うことを特徴とする請求項１の超音波手術装置。
【請求項３】
前記ハンドピースは、前記駆動信号発生手段と接続、取り外し可能であり、
前記異常判断部は、前記ハンドピースと前記駆動信号発生手段との接続、取り外しを検知するハンドピース接続検知手段を有し、前記ハンドピース接続検知手段が前記ハンドピースと前記駆動信号発生手段とが接続されたと検知した場合に前記判断を行う、
ことを特徴とする請求項１の超音波手術装置。
【請求項４】
前記ハンドピース接続検知手段は、前記ハンドピースに設けられている記憶手段に記憶されているデータを検知することにより前記ハンドピースと前記駆動信号発生手段との接続を検知する、
ことを特徴とする請求項３の超音波手術装置。
【請求項５】
前記プローブは、前記ハンドピースと接続、取り外し可能であり、
前記異常判断部は、前記プローブと前記ハンドピースとの接続、取り外しを検知するプローブ接続検知手段を有し、前記プローブ接続検知手段が前記プローブと前記ハンドピースとが接続されたと検知した場合に前記判断を行う、
ことを特徴とする請求項１の超音波手術装置。
【請求項６】
前記プローブ接続検知手段は、前記第２の駆動信号の駆動周波数を変化させた場合に、前記出力電圧と前記出力電流との間の位相差がほぼ等しくなる共振周波数が所定の範囲内で検出できた場合に、前記プローブと前記ハンドピースとが接続されたと検知する、
ことを特徴とする請求項５の超音波手術装置。
【請求項７】
前記出力検知手段は、前記ハンドピースへの第１の駆動信号の出力電流及び出力電圧を検知可能であり、
前記プローブ接続検知手段は、前記第１の駆動信号の駆動周波数を変化させた場合に、前記出力電圧と前記出力電流との間の位相差がほぼ等しくなる共振周波数が所定の範囲内で検出できた場合に、前記プローブと前記ハンドピースとが接続されたと検知する、
ことを特徴とする請求項５の超音波手術装置。
【請求項８】
前記異常判断部は、前記判断を所定の回数行う、ことを特徴とする請求項１乃至７のいずれか１の超音波手術装置。
【請求項９】
前記異常判断部は、異常検知スイッチを有し、前記異常検知スイッチがＯＮにされた場合に前記判断を行う、ことを特徴とする請求項１の超音波手術装置。
【請求項１０】
前記異常判断部は、前記超音波手術装置の設定状態を検知する設定状態検知手段を有し、前記設定状態検知手段によって設定が変更されたと検知された場合に前記判断を行う、
ことを特徴とする請求項１の超音波手術装置。
【請求項１１】
超音波振動を利用して処置対象に処置を行うプローブに超音波振動を伝達するハンドピースに、処置対象に処置を行うための第１の駆動信号とは異なる第２の駆動信号を出力する工程と、
前記出力する工程において、前記ハンドピースへの出力電圧と出力電流との位相差を検知する工程と、
前記出力する工程において、前記出力電圧と前記出力電流との間の位相差がほぼ等しくなるように前記第２の駆動信号の駆動周波数を変化させる工程と、
前記変化させる工程において、前記出力電圧と前記出力電流との間の位相差がほぼ等しくなる共振周波数の検出を試みる工程と、
前記共振周波数が所定の範囲内で検出できなかった場合に前記プローブ又は前記ハンドピースが異常であると判断する工程と、
を具備することを特徴とする超音波手術装置の異常判断方法。
【請求項１２】
前記異常判断方法は、前記超音波手術装置の電源のＯＮ、ＯＦＦを検知する工程をさらに具備し、
前記出力する工程から前記判断する工程までの一連の工程は、前記検知する工程において電源がＯＮにされたと検知された場合に行われる、
ことを特徴とする請求項１１の異常判断方法。
【請求項１３】
前記異常判断方法は、前記ハンドピースに前記第１及び第２の駆動信号を出力する駆動信号発生手段と前記ハンドピースとの接続を検知する工程をさらに具備し、
前記出力する工程から前記判断する工程までの一連の工程は、前記接続を検知する工程において前記駆動信号発生手段と前記ハンドピースとが接続されたと検知された場合に行われる、
ことを特徴とする請求項１１の異常判断方法。
【請求項１４】
前記接続を検知する工程は、前記ハンドピースに設けられている記憶手段に記憶されているデータを検知することにより前記ハンドピースと前記駆動信号発生手段との接続を検知する工程を含む、
ことを特徴とする請求項１３の超音波手術装置。
【請求項１５】
前記異常判断方法は、前記ハンドピースと前記プローブとの接続を検知する工程をさらに具備し、
前記出力する工程から前記判断する工程までの一連の工程は、前記接続を検知する工程において前記ハンドピースと前記プローブとが接続されたと検知された場合に行われる、
ことを特徴とする請求項１１の異常判断方法。
【請求項１６】
前記接続を検知する工程は、前記第２の駆動信号の駆動周波数を変化させた場合に、前記出力電圧と前記出力電流との間の位相差がほぼ等しくなる共振周波数が所定の範囲内で検出できた場合に、前記ハンドピースと前記プローブとが接続されたと検知する工程を含む、
ことを特徴とする請求項１５の異常判断方法。
【請求項１７】
前記接続を検知する工程は、
前記ハンドピースに前記第１の駆動信号を出力する工程と、
前記第1の駆動信号を出力する工程において、前記ハンドピースへの出力電圧と出力電流との位相差を検知する工程と、
前記第1の駆動信号を出力する工程において、前記出力電圧と前記出力電流との間の位相差がほぼ等しくなるように前記第１の駆動信号の駆動周波数を変化させる工程と、
前記第1の駆動信号の駆動周波数を変化させる工程において、前記出力電圧と前記出力電流との間の位相差がほぼ等しくなる前記第1の駆動信号の共振周波数の検出を試みる工程と、
前記第１の駆動信号の前記共振周波数が所定の範囲内で検出できた場合に前記ハンドピースと前記プローブとが接続されたと検知する工程と、
を含む、ことを特徴とする請求項１５の異常判断方法。
【請求項１８】
前記出力する工程から前記判断する工程までの一連の工程は、所定の回数行なわれる、
ことを特徴とする請求項１１乃至１７のいずれか１の異常判断方法。
【請求項１９】
前記出力する工程から前記判断する工程までの一連の工程は、外部から入力が行われた場合に行われる、
ことを特徴とする請求項１１の異常判断方法。
【請求項２０】
前記異常判断方法は、前記超音波手術装置の設定状態を検知する工程をさらに具備し、
前記出力する工程から前記判断する工程までの一連の工程は、前記設定状態を検知する工程において設定が変更されたと検知された場合に行われる、
ことを特徴とする請求項１１の異常判断方法。
【発明の詳細な説明】
【技術分野】
【０００１】
本発明は、異常を検知可能な超音波手術装置、及び、超音波手術装置の異常判断方法に関する。
【背景技術】
【０００２】
従来、超音波凝固切開装置等、超音波を利用して処置対象に処置を行う超音波手術装置が用いられている。このような超音波手術装置は、駆動信号を発生する装置本体を有する。この装置本体にはハンドピースが接続されている。このハンドピースには駆動信号を入力されて超音波振動を発生する超音波振動子が収容されている。また、ハンドピースには、超音波振動を伝達するプローブの基端部が接続されている。このプローブの先端部によって、プローブの基端部から先端部へと伝達された超音波振動を利用して処置対象に処置を行う。
【０００３】
このような超音波手術装置では、ハンドピースをその共振周波数で駆動することにより、処置効率を増大することが可能である。ここで、ハンドピースへの出力電圧と出力電流との位相差が０になるような駆動周波数が共振周波数である。超音波手術装置では、出力電圧と出力電流との位相差が０になるように駆動信号を制御するＰＬＬ（Ｐｈａｓｅ  Ｌｏｃｋｅｄ  Ｌｏｏｐ）制御が行われている。
【０００４】
ところで、超音波手術装置では超音波振動しているプローブを処置対象に押圧して処置をおこなうため、プローブの先端部に装着されている刃等が処置において緩んだり、超音波振動に伴って発生する機械的ストレスの継続的付与によってプローブやハンドピースに機械的な劣化が生じることがある。
【０００５】
このような異常を検知することが可能な超音波手術装置の一例が、特許文献１に開示されている。特許文献１の超音波手術装置は、プローブの折れ、クラック、傷等の異常を検知するようになっている。即ち、プローブに異常が発生した場合には共振周波数が正常値から変化するところ、ＰＬＬ制御において算出される共振周波数が所定の範囲外になった場合にはプローブに異常が発生したと判断する。異常が発生したと判断した場合には、ハンドピースへの出力を停止し、音声、光、振動等によって異常を告知する。
【０００６】
同様に、特許文献２の超音波手術装置では、初期の共振周波数を記録し、処置において共振周波数が初期の共振周波数から所定の値以上変化した場合には、プローブ又はハンドピースに異常が発生したと判断する。また、特許文献３の超音波手術装置では、予め記録されている設定周波数と算出された共振周波数との差分である周波数偏差を求め、この周波数偏差が所定の監視周波数範囲から外れた場合には、プローブ又はハンドピースに異常が発生したと判断する。さらに、特許文献４の超音波変換器では、算出された共振周波数が所定の共振点追尾範囲から外れた場合には、プローブ又はハンドピースに異常が発生したと判断する。
【０００７】
特許文献５及び６には、ＰＬＬ制御とは別個に異常を判断する超音波手術システムが開示されている。特許文献５の超音波手術システムでは、プローブの先端部に装着されている刃の緩みを検知するようになっている。即ち、この超音波手術システムでは出力電圧及び出力電流からインピーダンスを算出することが可能であり、駆動信号の駆動周波数を掃引してインピーダンスが最小になる駆動周波数を共振周波数としている。そして、駆動周波数を３回掃引して各掃引毎に共振周波数を求め、これらの共振周波数間の変化量が規定の値以上であれば刃が緩んでいると判断する。
【０００８】
また、特許文献６の超音波手術システムでは、プローブのひび割れを検知するようになっている。即ち、この超音波手術システムでは、特許文献５の超音波手術システムと同様に、インピーダンスから共振周波数を求めることが可能である。そして、異なる励起電流にて駆動周波数を２回掃引して各掃引毎に共振周波数を求め、低い励起電流における共振周波数が高い励起電流における共振周波数よりも小さい場合にはプローブにひび割れが発生していると判断する。
【特許文献１】特開２０００−２８７９８９号公報
【特許文献２】特開２００１−２５８０８９号公報
【特許文献３】特開２００２−１８６９０１号公報
【特許文献４】特開平７−３１３９３７号公報
【特許文献５】特開２００２−２２４１３４号公報
【特許文献６】特開２００３−６１０号公報
【発明の開示】
【発明が解決しようとする課題】
【０００９】
特許文献１乃至４の超音波手術装置では、ＰＬＬ制御において異常を判断している。即ち、ハンドピースに駆動信号を出力している場合にのみ異常を検知することが可能となっており、出力時以外には異常を検知することができない。特許文献５及び６の超音波手術システムでは出力時以外にも異常を検知することが可能であるが、インピーダンス算出、比較演算等をする必要があり、システムが複雑となっている。
【００１０】
本発明は、上記課題に着目してなされたもので、その目的とするところは、出力時以外にも異常の検知が可能であり、構成の簡単な超音波手術装置を提供することである。
【課題を解決するための手段】
【００１１】
請求項１の発明は、超音波振動を利用して処置対象に処置を行うプローブと、前記プローブに超音波振動を伝達するハンドピースと、前記ハンドピースに、前記処置対象に処置を行うための第１の駆動信号と、駆動周波数が変化され前記プローブ又は前記ハンドピースの異常を判断するための第２の駆動信号とを出力する駆動信号発生手段と、前記ハンドピースへの少なくとも第２の駆動信号の出力電流及び出力電圧を検知する出力検知手段と、前記第２の駆動信号の駆動周波数を変化させた場合に、前記出力電圧と前記出力電流との間の位相差がほぼ等しくなる共振周波数が所定の範囲内で検出できなければ前記プローブ又は前記ハンドピースが異常であると判断する異常判断部とを、具備することを特徴とする超音波手術装置である。
【００１２】
そして、本請求項１の発明では、駆動周波数を変化させつつ第２の駆動信号をハンドピースに出力し、ハンドピースへの第２の駆動信号の出力電圧及び出力電流を検知して、出力電圧と出力電流との間の位相差がほぼ等しくなる共振周波数の検出を試み、共振周波数が所定の範囲内で検出できなかった場合には異常判断部はプローブ又はハンドピースが異常であると判断し、一方、検出できた場合には正常であると判断して、第１の駆動信号をハンドピースに出力してハンドピースからプローブに超音波振動を伝達し、プローブによって処置対象に処置を行う。
【００１３】
請求項２の発明は、前記異常判断部は、前記駆動信号発生手段の電源のＯＮ、ＯＦＦを検知する電源検知手段を有し、前記電源検知手段が電源がＯＮにされたと検知した場合に前記判断を行うことを特徴とする請求項１の超音波手術装置である。
【００１４】
そして、本請求項２の発明では、駆動信号発生手段の電源をＯＮとすると、電源検知手段により電源がＯＮにされたと検知され、異常判断部による判断が行われる。
【００１５】
請求項３の発明は、前記ハンドピースは、前記駆動信号発生手段と接続、取り外し可能であり、前記異常判断部は、前記ハンドピースと前記駆動信号発生手段との接続、取り外しを検知するハンドピース接続検知手段を有し、前記ハンドピース接続検知手段が前記ハンドピースと前記駆動信号発生手段とが接続されたと検知した場合に前記判断を行う、ことを特徴とする請求項１の超音波手術装置である。
【００１６】
そして、本請求項３の発明では、ハンドピースと駆動信号発生手段とを接続すると、ハンドピース接続検知手段によりハンドピースと駆動信号発生手段とが接続されたと検知され、異常判断部による判断が行われる。
【００１７】
請求項４の発明は、前記ハンドピース接続検知手段は、前記ハンドピースに設けられている記憶手段に記憶されているデータを検知することにより前記ハンドピースと前記駆動信号発生手段との接続を検知する、ことを特徴とする請求項３の超音波手術装置である。
【００１８】
そして、本請求項４の発明では、ハンドピースと駆動信号発生手段とを接続すると、ハンドピースに設けられている記憶手段に記憶されているデータがハンドピース接続検知手段によって検知され、ハンドピースと駆動信号発生手段との接続が検知される。
【００１９】
請求項５の発明は、前記プローブは、前記ハンドピースと接続、取り外し可能であり、前記異常判断部は、前記プローブと前記ハンドピースとの接続、取り外しを検知するプローブ接続検知手段を有し、前記プローブ接続検知手段が前記プローブと前記ハンドピースとが接続されたと検知した場合に前記判断を行う、ことを特徴とする請求項１の超音波手術装置である。
【００２０】
そして、本請求項５の発明では、プローブとハンドピースとを接続すると、プローブ接続検知手段によりプローブとハンドピースとが接続されたと検知され、異常判断部による判断が行われる。
【００２１】
請求項６の発明は、前記プローブ接続検知手段は、前記第２の駆動信号の駆動周波数を変化させた場合に、前記出力電圧と前記出力電流との間の位相差がほぼ等しくなる共振周波数が所定の範囲内で検出できた場合に、前記プローブと前記ハンドピースとが接続されたと検知する、ことを特徴とする請求項５の超音波手術装置である。
【００２２】
そして、本請求項６の発明では、駆動周波数を変化させつつ第２の駆動信号がハンドピースに出力され、ハンドピースへの第２の駆動信号の出力電圧及び出力電流が検知され、出力電圧と出力電流との間の位相差がほぼ等しくなる共振周波数の検出が試みられ、共振周波数が所定の範囲内で検出できた場合には、プローブとハンドピースとが接続されたと検知する。
【００２３】
請求項７の発明は、前記出力検知手段は、前記ハンドピースへの第１の駆動信号の出力電流及び出力電圧を検知可能であり、前記プローブ接続検知手段は、前記第１の駆動信号の駆動周波数を変化させた場合に、前記出力電圧と前記出力電流との間の位相差がほぼ等しくなる共振周波数が所定の範囲内で検出できた場合に、前記プローブと前記ハンドピースとが接続されたと検知する、ことを特徴とする請求項５の超音波手術装置である。
【００２４】
そして、本請求項７の発明では、駆動周波数を変化させつつ第１の駆動信号をハンドピースに出力し、ハンドピースへの第１の駆動信号の出力電圧及び出力電流を検知して、出力電圧と出力電流との間の位相差がほぼ等しくなる共振周波数の検出を試み、共振周波数が所定の範囲内で検出できた場合に、プローブとハンドピースとが接続されたと検知する。
【００２５】
請求項８の発明は、前記異常判断部は、前記判断を所定の回数行う、ことを特徴とする請求項１乃至７のいずれか１の超音波手術装置である。
【００２６】
そして、本請求項８の発明では、異常判断部によって判断が所定の回数行なわれる。
【００２７】
請求項９の発明は、前記異常判断部は、異常検知スイッチを有し、前記異常検知スイッチがＯＮにされた場合に前記判断を行う、ことを特徴とする請求項１の超音波手術装置である。
【００２８】
そして、本請求項９の発明では、異常判断部の異常検知スイッチをＯＮにすると、異常判断部によって判断が行われる。
【００２９】
請求項１０の発明は、前記異常判断部は、前記超音波手術装置の設定状態を検知する設定状態検知手段を有し、前記設定状態検知手段によって設定が変更されたと検知された場合に前記判断を行う、ことを特徴とする請求項１の超音波手術装置である。
【００３０】
そして、本請求項１０の発明では、超音波手術装置の設定を変更すると、設定状態検知手段によって設定の変更が検知され、異常判断部によって判断が行われる。
【００３１】
請求項１１の発明は、超音波振動を利用して処置対象に処置を行うプローブに超音波振動を伝達するハンドピースに、処置対象に処置を行うための第１の駆動信号とは異なる第２の駆動信号を出力する工程と、前記出力する工程において、前記ハンドピースへの出力電圧と出力電流との位相差を検知する工程と、前記出力する工程において、前記出力電圧と前記出力電流との間の位相差がほぼ等しくなるように前記第２の駆動信号の駆動周波数を変化させる工程と、前記変化させる工程において、前記出力電圧と前記出力電流との間の位相差がほぼ等しくなる共振周波数の検出を試みる工程と、前記共振周波数が所定の範囲内で検出できなかった場合に前記プローブ又は前記ハンドピースが異常であると判断する工程と、を具備することを特徴とする超音波手術装置の異常判断方法である。
【００３２】
請求項１２の発明は、前記異常判断方法は、前記超音波手術装置の電源のＯＮ、ＯＦＦを検知する工程をさらに具備し、前記出力する工程から前記判断する工程までの一連の工程は、前記検知する工程において電源がＯＮにされたと検知された場合に行われる、ことを特徴とする請求項１１の異常判断方法である。
【００３３】
請求項１３の発明は、前記異常判断方法は、前記ハンドピースに前記第１及び第２の駆動信号を出力する駆動信号発生手段と前記ハンドピースとの接続を検知する工程をさらに具備し、前記出力する工程から前記判断する工程までの一連の工程は、前記接続を検知する工程において前記駆動信号発生手段と前記ハンドピースとが接続されたと検知された場合に行われる、ことを特徴とする請求項１１の異常判断方法である。
【００３４】
請求項１４の発明は、前記接続を検知する工程は、前記ハンドピースに設けられている記憶手段に記憶されているデータを検知することにより前記ハンドピースと前記駆動信号発生手段との接続を検知する工程を含む、ことを特徴とする請求項１３の超音波手術装置である。
【００３５】
請求項１５の発明は、前記異常判断方法は、前記ハンドピースと前記プローブとの接続を検知する工程をさらに具備し、前記出力する工程から前記判断する工程までの一連の工程は、前記接続を検知する工程において前記ハンドピースと前記プローブとが接続されたと検知された場合に行われる、ことを特徴とする請求項１１の異常判断方法である。
【００３６】
請求項１６の発明は、前記接続を検知する工程は、前記第２の駆動信号の駆動周波数を変化させた場合に、前記出力電圧と前記出力電流との間の位相差がほぼ等しくなる共振周波数が所定の範囲内で検出できた場合に、前記ハンドピースと前記プローブとが接続されたと検知する工程を含む、ことを特徴とする請求項１５の異常判断方法である。
【００３７】
請求項１７の発明は、前記接続を検知する工程は、前記ハンドピースに前記第１の駆動信号を出力する工程と、前記第1の駆動信号を出力する工程において、前記ハンドピースへの出力電圧と出力電流との位相差を検知する工程と、前記第1の駆動信号を出力する工程において、前記出力電圧と前記出力電流との間の位相差がほぼ等しくなるように前記第１の駆動信号の駆動周波数を変化させる工程と、前記第1の駆動信号の駆動周波数を変化させる工程において、前記出力電圧と前記出力電流との間の位相差がほぼ等しくなる前記第1の駆動信号の共振周波数の検出を試みる工程と、前記第１の駆動信号の前記共振周波数が所定の範囲内で検出できた場合に前記ハンドピースと前記プローブとが接続されたと検知する工程と、を含む、ことを特徴とする請求項１５の異常判断方法である。
【００３８】
請求項１８の発明は、前記出力する工程から前記判断する工程までの一連の工程は、所定の回数行なわれる、ことを特徴とする請求項１１乃至１７のいずれか１の異常判断方法である。
【００３９】
請求項１９の発明は、前記出力する工程から前記判断する工程までの一連の工程は、外部から入力が行われた場合に行われる、ことを特徴とする請求項１１の異常判断方法である。
【００４０】
請求項２０の発明は、前記異常判断方法は、前記超音波手術装置の設定状態を検知する工程をさらに具備し、前記出力する工程から前記判断する工程までの一連の工程は、前記設定状態を検知する工程において設定が変更されたと検知された場合に行われる、ことを特徴とする請求項１１の異常判断方法である。
【発明の効果】
【００４１】
本発明によれば、出力時以外にも超音波手術装置の異常の検知が可能であり、また、超音波手術装置の構成が簡単となっている。
【発明を実施するための最良の形態】
【００４２】
以下、本発明の第１実施形態を図１乃至図３を参照して説明する。図１は、本実施形態の超音波手術装置１２の全体の概略構成を示す。この超音波手術装置１２は、駆動信号を発生する装置本体１４を有する。この装置本体１４にはハンドピース１６が接続されており、このハンドピース１６には超音波振動子１８が収容されている。また、ハンドピース１６には装置本体１４で発生された駆動信号が出力されるようになっており、ハンドピース１６は入力された駆動信号を機械的振動に変換し、超音波振動を行うようになっている。また、ハンドピース１６には超音波振動を伝達するプローブ２０の基端部が接続されている。このプローブ２０の先端部によって、プローブ２０の基端部から先端部へと伝達された超音波振動を利用して処置対象に処置を行うようになっている。また、装置本体１４には、装置本体１４を操作するためのフットスイッチ２２が接続されている。
【００４３】
図２に示されるように、装置本体１４は、装置本体１４を制御するための制御部２４を有する。この制御部２４には、フットスイッチ受信部２６が接続されている。このフットスイッチ受信部２６は、フットスイッチ２２から入力されたオンオフ信号をデジタルコード化し、制御部２４に出力する。また、制御部２４には、装置本体１４の電源のＯＮ／ＯＦＦを検知する電源検知手段としての電源検知部２８が接続されている。この電源検知部２８は、電源のＯＮ／ＯＦＦを検知し、デジタルコード化されたオンオフ信号を制御部２４に出力する。ここで、フットスイッチ受信部２６のオンオフ信号を第１のオンオフ信号と称し、電源検知部２８のオンオフ信号を第２のオンオフ信号と称する。
【００４４】
ところで、ハンドピース１６の内部には、ハンドピース１６に関するデータ（以下、ＨＰデータと称する）が記録されているデータ記憶部３０が付設されている。ＨＰデータとしては、例えば、ハンドピース１６の共振周波数、ハンドピース１６への駆動信号の電流値、ハンドピース１６の静電容量値等が用いられる。本実施形態では、ＨＰデータとして、後述するように、第２の駆動信号の駆動電流値、ハンドピース１６の異常を判断する基準となる正常周波数範囲（又は、異常周波数範囲）、及び、第1及び第２の駆動信号の駆動周波数の掃引を行う掃引周波数範囲が選択されている。
【００４５】
ここで、データ記憶部３０の記憶媒体として、シリアルＲＯＭ、パラレルＲＯＭ等が用いられる。配線を削減したい場合には、シリアルＲＯＭが好ましい。ハンドピース１６が装置本体１４に接続された場合には、データ記憶部３０からＨＰデータ受信部３８にＨＰデータが送信される。ＨＰデータ受信部３８は、受信したＨＰデータをデジタルコード化し、制御部２４に出力する。
【００４６】
制御部２４は、第１のオンオフ信号がＯＮである場合には、第１の制御信号を発振部３２及び増幅部３４に出力する。第１の制御信号を入力された発振部３２及び増幅部３４は、ハンドピース１６を駆動するための第1の駆動信号をハンドピース１６へと出力する。即ち、発振部３２は所定の駆動周波数の第１の駆動信号を発生させて増幅部３４に出力し、増幅部は第１の駆動信号を所定の駆動電流値まで増幅して、ハンドピース１６へと出力する。第1の駆動信号の駆動電流値は、以下のように設定される。即ち、装置本体１４には、ハンドピース１６の出力レベルを設定するための出力設定スイッチ３６が配設されている。この出力設定スイッチ３６は、外部からの入力に応じた設定信号を制御部２４に出力する。制御部２４は、設定された出力の大きさが実現されるような駆動電流値を設定する。
【００４７】
同様に、制御部２４は、第２のオンオフ信号がＯＮである場合には、発振部３２及び増幅部３４に、所定の駆動周波数、所定の駆動電流値の第２の駆動信号をハンドピース１６へと出力させる。この第２の駆動信号は、ハンドピース１６の異常を判断するための信号である。第２の駆動信号の駆動電流値はＨＰデータとしてデータ記憶部３０に記録されており、制御部２４はＨＰデータ受信部３８から入力されたＨＰデータに基づき第２の駆動信号の駆動電流値を設定する。このように、発振部３２及び増幅部３４によって、ハンドピース１６へと第１及び第２の駆動信号を出力する駆動信号発生手段が形成されている。
【００４８】
そして、増幅部３４とハンドピース１６との間には、ハンドピース１６へ出力される第１及び第２の駆動信号の出力電圧及び出力電流を検知する出力検知手段としての電圧電流検知部４２が配設されている。この電圧電流検知部４２は、検知した電流及び電圧を位相差検出部４４に出力する。この位相差検出部４４は、出力電圧と出力電流との間の位相差Δθを検出して、制御部２４に出力する。
【００４９】
ここで、ハンドピース１６の共振周波数は、ハンドピース１６の規格によってほぼ定まり、ハンドピース１６毎の誤差を考慮に入れても一定の周波数範囲（以下、正常周波数範囲と称する）内にある。ハンドピース１６又はプローブ２０に異常が発生した場合には共振周波数が正常値から変化するところ、第２の駆動信号について共振周波数が正常周波数範囲内にない場合には、ハンドピース１６又はプローブ２０が異常であると判断できる。
【００５０】
なお、ハンドピース１６又はプローブ２０の異常としては、ハンドピース１６又はプローブ２０の機械的な損傷の他、装置本体１４とハンドピース１６との又はハンドピース１６とプローブ２０との接続不良、ハンドピース１６のケーブルの断線、コネクタ部分の不良等が想定される。  制御部２４はこのような異常判断を行うようになっており、異常判断部としての機能を有する。即ち、位相差検出部４４で検出される第２の駆動信号の位相差Δθが０になるような駆動周波数がハンドピース１６の共振周波数である。そして、制御部２４は、Δθが０になるように第２の駆動信号の駆動周波数を制御し、Δθが０になるような駆動周波数を共振周波数として検出して、共振周波数が正常周波数範囲内にあるか否か判断する。なお、正常周波数範囲は、ハンドピース１６のデータ記憶部３０に記録されており、データ記憶部３０からＨＰデータ受信部３８に送信され、ＨＰデータ受信部３８から制御部２４に入力される。そして、制御部２４は、共振周波数が正常範囲内にない場合にはハンドピース１６又はプローブ２０が異常であると判断し、第２の駆動信号を停止して、異常告知手段４５に告知信号を出力するようになっている。この異常告知手段４５は、音、光等で異常を告知するランプ、ブザー等である。
【００５１】
一方、処置効率を増大するためにはハンドピース１６をその共振周波数で駆動することが好ましい。上述したように、Δθが０になるような駆動周波数が共振周波数であり、制御部２４はΔθが０になるように第１の駆動信号の駆動周波数を制御する。このような制御はＰＬＬ制御と称されている。ＰＬＬ制御はアナログ回路とデジタル回路とのいずれでも実現可能であるが、アナログ回路には特有のバラツキ、温度変化等があるため、デジタル回路を用いるのが好ましい。本実施形態ではデジタル回路が用いられている。
【００５２】
なお、本実施形態では、第1の駆動信号についてもハンドピース１６又はプローブ２０の異常判断を行う。即ち、第１の駆動信号をＰＬＬ制御し、ハンドピース１６に第1の駆動信号を出力している場合にも、Δθが０になるような駆動周波数を共振周波数として検出して、共振周波数が正常周波数範囲内にあるか否か判断する。そして、制御部２４は、共振周波数が正常範囲内にない場合にはハンドピース１６又はプローブ２０が異常であると判断し、第１の駆動信号を停止して、異常告知手段４５に告知信号を出力する。
【００５３】
次に、図３のフローチャートを用いて本実施形態の超音波手術装置１２の制御について説明する。超音波手術装置１２を使用する際には、ステップＳ１０で装置本体１４の電源をＯＮにする。この結果、電源検知部２８によって電源がＯＮであることが検知され、第２のオンオフ信号が制御部２４に出力される。第２のオンオフ信号を入力された制御部２４は、第２の制御信号を発振部３２及び増幅部３４に出力し、発振部３２及び増幅部３４からハンドピース１６へと第２の駆動信号が出力され、ハンドピース１６又はプローブ２０が異常か否か判断される。
【００５４】
即ち、制御部２４は、ハンドピース１６のデータ記憶部３０からＨＰデータ受信部３８に送信された掃引周波数範囲を読み取る。そして、ステップＳ２０で、制御部２４は、掃引周波数範囲の上限から下限まで（又は、下限から上限まで）駆動周波数の掃引を行う。駆動周波数を掃引し、電圧電流検知部４２で検知される出力電流が規定値以上になった場合には、駆動周波数が共振周波数の近傍にあると判断する。この後、制御部２４は出力電圧と出力電流との位相差Δθがほぼ０になるように駆動周波数を制御する。制御部２４は、Δθがほぼ０になったと判断した場合には、その駆動周波数を共振周波数として検出する。一方、制御部２４は、データ記憶部３０からＨＰデータ受信部３８に送信された正常周波数範囲を読み取る。そして、制御部２４は、共振周波数が正常周波数範囲内にあるか否か判断する。
【００５５】
周波数掃引で出力電流が規定値以上にならなかった場合、及び、規定値以上になった場合で共振周波数が正常周波数範囲になかった場合には、ステップＳ３０で制御部２４はハンドピース１６又はプローブ２０が異常であると判断する。ステップＳ３０でハンドピース１６又はプローブ２０が異常であると判断した場合には、ステップＳ４０へ進む。ステップＳ４０で、制御部２４は、第２の駆動信号を停止し、異常告知手段４５に告知信号を出力し、異常告知手段４５は音、光等で異常を告知する。一方、ステップＳ３０でハンドピース１６及びプローブ２０が正常であると判断した場合には、ステップＳ２０に戻る。この後、制御部２４は、一定時間間隔でハンドピース１６又はプローブ２０の異常判断を行う。
【００５６】
ハンドピース１６による出力を行う場合には、出力設定スイッチ３６によってハンドピース１６の出力レベルを設定する。そして、フットスイッチ２２をＯＮにすると、制御部２４は第２の制御信号を停止する。続いて、制御部２４は、フットスイッチ２２からの第1のオンオフ信号及び出力設定スイッチ３６からの設定信号に基づいて、第1の制御信号を発振部３２及び増幅部３４に出力する。発振部３２及び増幅部３４は、ハンドピース１６へと第１の駆動信号を出力する。この際、制御部２４はハンドピース１６が共振周波数で駆動されるように第1の駆動信号を制御する。
【００５７】
この制御は、第２の駆動信号の駆動周波数の制御とほぼ同様である。即ち、制御部２４は、駆動周波数の掃引を行い、出力電流が規定値以上になった場合には、出力電圧と出力電流との位相差Δθがほぼ０になるように駆動周波数をＰＬＬ制御する。なお、周波数の掃引を行わずに、異常判断時に検出した共振周波数の近傍からＰＬＬ制御を開始してもよい。ここで、ＰＬＬ制御においても共振周波数が検出されており、検出された共振周波数が正常周波数範囲から外れた場合には、第1の駆動信号を停止し、異常判断時と同様に異常を告知する。
【００５８】
従って、本実施形態の超音波手術装置１２は次の効果を奏する。本実施形態では、処置対象に処置を行うための第１の駆動信号と、ハンドピース１６又はプローブ２０の異常を判断するための第２の駆動信号とをハンドピース１６に出力することが可能となっている。このため、第２の駆動信号を利用することにより、ハンドピース１６の出力時以外にもハンドピース１６又はプローブ２０の異常を判断することが可能となっている。また、異常判断においては、第２の駆動信号の駆動周波数を変化させ、ハンドピース１６への出力電圧と出力電流との間の位相差がほぼ等しくなる共振周波数の検出を試み、共振周波数が所定の範囲内で検出できなかった場合にはハンドピース１６又はプローブ２０が異常であると判断している。このように、ハンドピース１６又はプローブ２０の異常判断は簡単なものとなっており、異常判断を行う装置本体１４の構成が簡単なものとなっている。
【００５９】
本実施形態では、ハンドピース１６のデータ記憶部３０にＨＰデータが記録されており、このＨＰデータを装置本体１４によって読み取るようになっている。代わって、ハンドピース１６にはハンドピース１６の種別を識別するための抵抗素子等を配設するようにしてもよい。この場合、装置本体１４にハンドピース１６の種別毎のＨＰデータを記録しておき、装置本体１４に接続されたハンドピース１６の種別を装置本体１４によって識別し、記録されたＨＰデータからハンドピース１６の種別に対応するＨＰデータを選択して用いる。
【００６０】
以下、本発明の第２実施形態を説明する。第１実施形態と同様な機能を有する構成には、同一の参照符号を付して説明を省略する。図４を参照し、本実施形態の超音波手術装置１２は、装置本体１４にハンドピース１６が接続された場合に異常判断を行うものである。本実施形態では、ハンドピース１６は、装置本体１４に接続、取り外し可能となっている。また、装置本体１４には、電源検知部２８（図２参照）は用いられていない。そして、制御部２４は、ハンドピース１６が接続されたか否か検知するハンドピース接続検知手段としての機能を有する。即ち、制御部２４は、記憶手段としてのデータ記憶部３０のＨＰデータが読み取り可能か否かに基づきハンドピース１６が接続されたか否か検知する。
【００６１】
次に、図５のフローチャートを用い、本実施形態の超音波手術装置１２の制御について説明する。まず、ステップＳ１０で装置本体１４の電源をＯＮにする。そして、ステップＳ１１で、制御部２４は、ＨＰデータの読み取りを試み、読み取れた場合にはハンドピース１６が接続されたと判断し、読み取れなかった場合にはハンドピース１６が接続されていないと判断する。ステップＳ１１で、ハンドピース１６が接続されていないと判断した場合には、ステップＳ１１を繰り返す。一方、ステップＳ１１で、ハンドピース１６が接続されたと判断した場合には、ステップＳ２０に進む。以下、第１実施形態と同様、異常判断を繰り返す。
【００６２】
従って、本実施形態の超音波手術装置１２は次の効果を奏する。装置本体１４にハンドピース１６が接続されていない状態で異常判断を行うと、制御部２４はハンドピース１６又はプローブ２０が異常であると判断することになる。本実施形態では、装置本体１４にハンドピース１６が接続された場合にハンドピース１６又はプローブ２０の異常判断を行うようになっている。このため、ハンドピース１６が接続されていない状態で異常判断を行い、異常告知が頻発するという事態が回避されている。
【００６３】
以下、本発明の第３実施形態を説明する。第２実施形態と同様な機能を有する構成には、同一の参照符号を付して説明を省略する。図６を参照し、本実施形態の超音波手術装置１２は、装置本体１４にハンドピース１６が接続され、かつ、ハンドピース１６にプローブ２０が接続された場合に異常判断を行うものである。本実施形態では、プローブ２０は、ハンドピース１６に接続、取り外し可能となっている。そして、制御部２４は、ハンドピース１６にプローブ２０が接続されたか否か検知するプローブ接続検知手段としての機能を有する。即ち、制御部２４は、ハンドピース１６が接続されたことを検知した後、異常判断と同様の判断を繰り返し、最初に正常と判断された場合にプローブ２０が接続されたと判断する。プローブ２０が接続されたと判断される以前は、異常と判断された場合であっても異常を告知せず、単にプローブ２０が接続されていないと判断する。
【００６４】
次に、図７のフローチャートを用いて、本実施形態の超音波手術装置１２の制御について説明する。まず、ステップＳ１０で装置本体１４の電源をＯＮにする。そして、ステップＳ１１で、第２実施形態と同様にハンドピース１６が接続されたか否か判断する。ステップＳ１１で、ハンドピース１６が接続されていないと判断された場合にはステップＳ１１を繰り返し、ハンドピース１６が接続されたと判断された場合にはステップＳ１２に進む。
【００６５】
ステップＳ１２で、プローブ２０が接続されたか否か判断する。即ち、制御部２４は、ハンドピース１６が接続されたと判断した後、異常判断と同様の判断を繰り返し、最初に正常と判断された場合にプローブ２０が接続されたと判断する。ステップ１２でプローブ２０が接続されていないと判断された場合にはステップＳ１２を繰り返す。一方、ステップＳ１２でプローブ２０が接続されたと判断された場合にはステップＳ２０に進む。以下、第２実施形態と同様、異常判断を繰り返す。
【００６６】
従って、本実施形態の超音波手術装置１２は次の効果を奏する。ハンドピース１６にプローブ２０が接続されていない状態で異常判断を行うと、制御部２４はハンドピース１６又はプローブ２０が異常であると判断することになる。本実施形態では、ハンドピース１６にプローブ２０が接続された場合にハンドピース１６又はプローブ２０の異常判断を行うようになっている。このため、プローブ２０が接続されていない状態で異常判断を行い、異常告知が頻発するという事態が回避されている。
【００６７】
以下、本発明の第４実施形態を説明する。第３実施形態と同様な機能を有する構成には、同一の参照符号を付して説明を省略する。図６を参照し、本実施形態の超音波手術装置１２は、第３実施形態と同様に、装置本体１４にハンドピース１６が接続され、かつ、ハンドピース１６にプローブ２０が接続された場合に異常判断を行うものである。但し、ハンドピース１６とプローブ２０との接続の検知方法が第３実施形態と異なっている。
【００６８】
本実施形態では、制御部２４は、ハンドピース１６が接続されたことを検知した後、最初に第１の駆動信号によってハンドピース１６の正常な出力が行われた場合に、ハンドピース１６にプローブ２０が接続されたと検知する。即ち、制御部２４は、ハンドピース１６が接続されたことを検知した後の最初のハンドピース１６の出力において、ハンドピース１６又はプローブ２０が異常と判断された場合には、異常告知をせずにプローブ２０が接続されていないと判断する。一方、正常と判断された場合には、ハンドピース１６にプローブ２０が接続されたと判断する。
【００６９】
次に、図８のフローチャートを用いて、本実施形態の超音波手術装置１２の制御について説明する。まず、ステップＳ１０で装置本体１４の電源をＯＮにする。そして、ステップＳ１１で、第３実施形態と同様にハンドピース１６が接続されているか否か判断する。ステップＳ１１で、ハンドピース１６が接続されていると判断された場合にはステップＳ１３に進む。
【００７０】
ステップＳ１３で、第１の駆動信号によってハンドピース１６の正常な出力が行われたか否か判断する。即ち、制御部２４は、ハンドピース１６が接続されたと判断した後、そのまま待機する。そして、制御部２４は、最初に、フットスイッチ受信部２６から入力される第１のオンオフ信号がＯＮになった場合には、第１実施形態と同様に第１の駆動信号によってハンドピース１６の出力を行う。この出力においてハンドピース１６又はプローブ２０が異常であると判断された場合には、ハンドピース１６にプローブ２０が接続されていないと判断する。一方、ハンドピース１６及びプローブ２０が正常であると判断された場合には、ハンドピース１６にプローブ２０が接続されたと判断する。ステップＳ１３で、第１の駆動信号によってハンドピース１６の正常な出力が行われていない、即ち、ハンドピース１６にプローブ２０が接続されていないと判断された場合には、ステップ１３を繰り返す。一方、ステップＳ１３で、第１の駆動信号によってハンドピース１６の正常な出力が行われた、即ち、ハンドピース１６にプローブ２０が接続されたと判断された場合には、ステップ２０に進む。以下、第３実施形態と同様に異常判断を繰り返す。
【００７１】
従って、本実施形態の超音波手術装置１２は次の効果を奏する。ハンドピース１６に第２の駆動信号を出力している状態でハンドピース１６にプローブ２０を接続すると、ハンドピース１６とプローブ２０が接続しにくく、接続した際に損傷が発生する場合もある。本実施形態では、ハンドピース１６に第２の駆動信号を出力している状態でハンドピース１６にプローブ２０を接続することがなく、損傷が発生するような事態を回避することが可能である。
【００７２】
以下、本発明の第５実施形態を説明する。第４実施形態と同様な機能を有する構成には、同一の参照符号を付して説明を省略する。図６を参照し、本実施形態の超音波手術装置１２は、第４実施形態と同様に、装置本体１４にハンドピース１６が接続され、かつ、ハンドピース１６にプローブ２０が接続された場合に異常判断を行うものである。但し、第２の駆動信号による異常判断は、繰り返し行われるのではなく、所定の時間間隔で所定の回数行われる。
【００７３】
次に、図９のフローチャートを用いて、本実施形態の超音波手術装置１２の制御について説明する。第４実施形態と同様に、装置本体１４の電源をＯＮにし（ステップＳ１０）、ハンドピース１６が接続されているか否か判断し（ステップＳ１１）、ハンドピース１６の正常な出力が行われたか否か、即ち、ハンドピース１６にプローブ２０が接続されたか否か判断する（ステップＳ１３）。そして、異常判断を所定の時間間隔で所定の回数行う。本実施形態では、異常判断を一回だけ行っている（ステップＳ２０，ステップＳ３０）。ハンドピース１６及びプローブ２０が正常であると判断された場合には、ステップＳ１２に戻り、再びフットスイッチ２２が押されるまで待機する。即ち、再び第１の駆動信号によりハンドピース１６の出力が行われるまで、異常判断は行われず、この間にプローブ２０の交換が可能である。
【００７４】
従って、本実施形態の超音波手術装置１２は次の効果を奏する。ハンドピース１６に第２の駆動信号を出力している状態でハンドピース１６からプローブ２０を取り外すと、ハンドピース１６からプローブ２０が取り外しにくく、取り外した際に損傷が発生する場合もある。本実施形態では、ハンドピース１６の出力の直後を除き、各出力間ではハンドピース１６に第２の駆動信号は出力されていないため、この間に取り外しを行うことにより損傷が発生するような事態を回避することが可能である。
【００７５】
また、ハンドピース１６又はプローブ２０に異常が発生するのはほとんどが出力中及び出力直後である。出力中は第１の駆動信号によって出力と共に異常判断を行い、出力直後には第２の駆動信号で異常判断を行っている。このため、異常判断が効率的に行われており、不必要な駆動信号の出力が回避されている。
【００７６】
以下、本発明の第６実施形態を説明する。第５実施形態と同様な機能を有する構成には、同一の参照符号を付して説明を省略する。図１０を参照し、本実施形態の超音波手術装置１２は、装置本体１４に配設されている異常検知スイッチ４６が押された場合に異常判断を行うものである。
【００７７】
次に、図１１のフローチャートを用いて、本実施形態の超音波手術装置１２の制御について説明する。第５実施形態と同様に、装置本体１４の電源をＯＮし（ステップＳ１０）、ハンドピース１６が接続されているか否か判断する（ステップＳ１１）。この後、ステップＳ１４で異常検知スイッチ４６が押されたか判断する。ステップＳ１４で異常検知スイッチ４６が押されていないと判断された場合には、ステップＳ１４を繰り返す。一方、ステップＳ１４で異常検知スイッチ４６が押されたと判断された場合には、異常判断を所定の時間間隔で所定の回数行う。本実施形態では、一回だけ異常判断が行われている（ステップＳ２０、ステップＳ３０）。ハンドピース１６及びプローブ２０が正常であると判断された場合には、ステップＳ１４に戻る。即ち、再び異常検知スイッチ４６が押されるまで異常判断は行われない。
【００７８】
従って、本実施形態の超音波手術装置１２は次の効果を奏する。異常検知スイッチ４６が押された場合に異常判断を行うことが可能となっており、操作者が異常が生じているかもしれないと考えた場合等、所望の時期に異常判断を行うことが可能となっている。
【００７９】
以下、本発明の第６実施形態の変形例を説明する。本変形例の超音波手術装置１２の制御部は、超音波手術装置１２の設定状態を検知する設定状態検知手段としての機能を有し、設定が変更されたと検知した場合に異常判断を行う。超音波手術装置１２の設定状態は、出力を設定する出力設定スイッチ３６、フットスイッチ２２の設定を変化させるスイッチ等によって変更される。
【００８０】
なお、上記実施形態において異常を告知された場合には、第１及び第２の駆動信号を停止するようになっている。この場合、操作者は、ハンドピース１６又はプローブ２０を交換する等によって超音波手術装置１２を正常状態に復帰させることが可能である。代わって、第２の駆動信号については、異常を告知された場合にも停止せず、第２の駆動信号を出力している状態でハンドピース１６又はプローブ２０を交換する等によって超音波手術装置１２を正常状態に復帰させることが可能な構成とすることもできる。
【００８１】
次に、本出願の他の特徴的な技術事項を下記の通り付記する。  
記  
（付記項１）  生体組織に超音波振動を伝達可能なプローブと、前記プローブに前記超音波振動を伝達可能となるように設けられた超音波振動子と、前記生体組織を処置するための第１の駆動信号と、前記超音波振動子を微弱動作させるための第２の駆動信号を前記超音波振動子に供給可能な駆動信号発生手段と、前記駆動信号発生手段から供給された前記第２の駆動信号の駆動周波数を掃引可能となるように設けられた周波数掃引手段と、前記周波数掃引手段の掃引結果に基づいて、前記超音波振動子又は前記プローブの異常を判断する異常判断部と、を具備することを特徴とする超音波手術装置。
【００８２】
（付記項２）  生体組織に超音波振動を伝達可能なプローブと、前記プローブに前記超音波振動を伝達可能となるように設けられた超音波振動子と、前記生体組織を処置するための第１の駆動信号と、前記超音波振動子を微弱動作させるための第２の駆動信号を前記超音波振動子に供給可能な駆動信号発生手段と、前記第１の駆動信号と前記第２の駆動信号とを切り替えて供給可能となるように、前記駆動信号発生手段を制御する制御手段と、前記駆動信号発生手段から供給された前記第２の駆動信号の駆動周波数を掃引可能となるように設けられた周波数掃引手段と、前記周波数掃引手段の掃引結果に基づいて、前記超音波振動子又は前記プローブの異常を判断する異常判断部と、を具備することを特徴とする超音波手術装置。
【００８３】
（付記項３）  生体組織に超音波振動を伝達可能なプローブと、前記プローブに前記超音波振動を伝達可能となるように設けられた超音波振動子と、前記生体組織を処置するための第１の駆動信号と、前記超音波振動子を微弱動作させるための第２の駆動信号を前記超音波振動子に供給可能な駆動信号発生手段と、前記第１の駆動信号の供給後に前記第２の駆動信号に切り替えるように、前記駆動信号発生手段を制御する制御手段と、前記駆動信号発生手段から供給された前記第２の駆動信号の駆動周波数を掃引可能となるように設けられた周波数掃引手段と、前記周波数掃引手段の掃引結果に基づいて、前記超音波振動子又は前記プローブの異常を判断する異常判断部と、を具備することを特徴とする超音波手術装置。
【００８４】
（付記項４）  生体組織に超音波振動を伝達可能なプローブと、前記プローブに前記超音波振動を伝達可能となるように、前記超音波振動を発生する超音波振動子を備えたハンドピースと、前記生体組織を処置するための第１の駆動信号と、前記超音波振動子を微弱動作させるための第２の駆動信号を前記超音波振動子に供給可能な駆動信号発生手段と、前記ハンドピースと前記駆動信号発生手段との接続を検出する接続検出手段と、前記接続検出手段の検出結果に基づいて、前記第２の駆動信号の駆動周波数を掃引可能となるように設けられた周波数掃引手段と、前記周波数掃引手段の掃引結果に基づいて、前記超音波振動子又は前記プローブの異常を判断する異常判断部と、を具備することを特徴とする超音波手術装置。
【００８５】
（付記項５）  生体組織に超音波振動を伝達可能なプローブと、前記プローブに前記超音波振動を伝達可能となるように、前記超音波振動を発生する超音波振動子を備えたハンドピースと、前記生体組織を処置するための第１の駆動信号と、前記超音波振動子を微弱動作させるための第２の駆動信号を前記超音波振動子に供給可能な駆動信号発生手段と、前記ハンドピースと前記駆動信号発生手段との接続を検出する第１の接続検出手段と、前記プローブと前記ハンドピースとの接続を検出する第２の接続検出手段と、前記第１の接続検出手段と前記第２の接続検出手段の検出結果に基づいて、前記第２の駆動信号の駆動周波数を掃引可能となるように設けられた周波数送信手段と、前記周波数掃引手段の掃引結果に基づいて、前記超音波振動子又は前記プローブの異常を判断する異常判断部と、前記異常判断部の判断結果に応じて前記第１の駆動信号を供給可能となるように、前記駆動信号発生手段を制御する制御手段と、を具備することを特徴とする超音波手術装置。
【００８６】
（付記項６）  生体組織に超音波振動を伝達可能なプローブと、前記プローブに前記超音波振動を伝達可能となるように設けられた超音波振動子と、前記生体組織を処置するための第１の駆動信号と、前記超音波振動子を微弱動作させるための第２の駆動信号を前記超音波振動子に供給可能な駆動信号発生手段と、前記第２の駆動信号の駆動周波数を予め設定された所定時間、掃引可能となるように設けられた周波数掃引手段と、前記周波数掃引手段の掃引結果に基づいて、前記超音波振動子又は前記プローブの異常を判断する異常判断部と、を具備することを特徴とする超音波手術装置。
【００８７】
（付記項７）  生体組織に超音波振動を伝達可能なプローブと、前記プローブに前記超音波振動を伝達可能となるように、前記超音波振動を発生する超音波振動子と、前記生体組織を処置するための第１の駆動信号と、前記超音波振動子を微弱動作させるための第２の駆動信号を前記超音波振動子に供給可能な駆動信号発生手段と、前記第２の駆動信号の駆動周波数を予め設定された時間間隔で、掃引可能となるように設けられた周波数掃引手段と、前記周波数掃引手段の掃引結果に基づいて、前記超音波振動子前記プローブの異常を判断する異常判断部と、を具備することを特徴とする超音波手術装置。
【産業上の利用可能性】
【００８８】
本発明は、出力時以外にも超音波手術装置の異常の検知が可能であり、また、超音波手術装置の構成が簡単となっている、異常を検知可能な超音波手術装置、及び、超音波手術装置の異常判断方法を提供する。
【図面の簡単な説明】
【００８９】
【図１】本発明の第１実施形態の超音波手術装置の全体の概略構成を示す図。
【図２】本発明の第１実施形態の超音波手術装置を示すブロック図。
【図３】本発明の第１実施形態の超音波手術装置の制御を説明するためのフローチャートを示す図。
【図４】本発明の第２実施形態の超音波手術装置を示すブロック図。
【図５】本発明の第２実施形態の超音波手術装置の制御を説明するためのフローチャートを示す図。
【図６】本発明の第３実施形態の超音波手術装置を示すブロック図。
【図７】本発明の第３実施形態の超音波手術装置の制御を説明するためのフローチャートを示す図。
【図８】本発明の第４実施形態の超音波手術装置の制御を説明するためのフローチャートを示す図。
【図９】本発明の第５実施形態の超音波手術装置の制御を説明するためのフローチャートを示す図。
【図１０】本発明の第６実施形態の超音波手術装置を示すブロック図。
【図１１】本発明の第６実施形態の超音波手術装置の制御を説明するためのフローチャートを示す図。
【符号の説明】
【００９０】
１２…超音波手術装置、１６…ハンドピース、２０…プローブ、２４…異常判断部、３２，３４…駆動信号発生手段、４２…出力検知手段。
【図１】
2006043348.tif 000003
【図２】
2006043348.tif 000004
【図３】
2006043348.tif 000005
【図４】
2006043348.tif 000006
【図５】
2006043348.tif 000007
【図６】
2006043348.tif 000008
【図７】
2006043348.tif 000009
【図８】
2006043348.tif 000010
【図９】
2006043348.tif 000011
【図１０】
2006043348.tif 000012
【図１１】
2006043348.tif 000013